(57)【要約】【課題】ＧＢＲベアラが設定されている状態で、無線アクセスネットワーク内の装置において故障が発生した場合に、コアネットワーク内のＧＢＲベアラを適切なタイミングで切断する。【解決手段】本発明に係る移動通信方法は、移動局ＵＥ用の第２ＧＢＲベアラが設定されている状態で、ゲートウェイ装置Ｓ-ＧＷが、無線回線制御局ＲＮＣの故障を検出すると、第１ＧＢＲベアラを解放すると共に、パケット交換機ＳＧＳＮに対して、「Ｄｏｗｎｌｉｎｋ  Ｄａｔａ  Ｎｏｔｉｆｉｃａｔｉｏｎ」を送信する工程Ａと、パケット交換機ＳＧＳＮが、移動局ＵＥに対して、「Ｐａｇｉｎｇ」を送信する工程Ｂと、パケット交換機ＳＧＳＮが、所定期間内に、「Ｐａｇｉｎｇ」に対する移動局ＵＥからの応答を受信しない場合、第２ＧＢＲベアラを解放する手順を開始する工程Ｃとを有することを要旨とする。【選択図】図１
2011087200.tif 000002
【特許請求の範囲】
【請求項１】
第１ゲートウェイ装置と無線基地局との間で移動局用の第１ベアラが設定されており、該第１ゲートウェイ装置と第２ゲートウェイ装置との間で該移動局用の第２ベアラが設定されている状態で、該第１ゲートウェイ装置が、該無線基地局の故障を検出すると、該第１ベアラを解放すると共に、移動管理用ノードに対して、バッファリング中の該移動局宛ての下りリンクデータ信号を通知するための下りリンクデータ通知を送信する工程Ａと、
前記移動管理用ノードが、前記移動局に対して、ページング信号を送信する工程Ｂと、
前記移動管理用ノードが、所定期間内に前記ページング信号に対する前記移動局からの応答を受信しない場合、前記第２ベアラを解放する手順を開始する工程Ｃとを有することを特徴とする移動通信方法。
【請求項２】
前記工程Ｃにおいて、前記移動管理用ノードは、更に、前記第２ベアラが時間課金によってサービスを提供するベアラであると判定した場合に、前記第２ベアラを解放する手順を開始することを特徴とする請求項１に記載の移動通信方法。
【請求項３】
前記工程Ｃにおいて、前記移動管理用ノードは、更に、前記第２ベアラに所定ＱＣＩが割り当てられていると判定した場合に、前記第２ベアラを解放する手順を開始することを特徴とする請求項１に記載の移動通信方法。
【請求項４】
前記工程Ｃにおいて、前記移動管理用ノードは、更に、前記下りリンクデータ通知に所定情報が含まれていると判定した場合に、前記第２ベアラを解放する手順を開始することを特徴とする請求項２又は３に記載の移動通信方法。
【請求項５】
前記工程Ａにおいて、前記第１ゲートウェイ装置は、前記無線基地局からエラー指示信号を受信した場合に、該無線基地局の故障を検出することを特徴とする請求項１に記載の移動通信方法。
【請求項６】
第１ゲートウェイ装置と無線基地局との間で移動局用の第１ベアラが設定されており、該第１ゲートウェイ装置と第２ゲートウェイ装置との間で該移動局用の第２ベアラが設定されている状態で、移動管理用ノードが、該無線基地局の故障を検出すると、該第１ゲートウェイ装置に対して、ベアラ解放要求を送信し、所定タイマーを起動する工程と、
前記第１ゲートウェイ装置が、前記ベアラ解放要求に応じて、前記第１ベアラを解放する工程と、
前記移動管理用ノードが、前記所定タイマーが満了する前に、前記移動局から接続要求を受信しない場合、前記第２ベアラを解放する手順を開始する工程とを有することを特徴とする移動通信方法。
【請求項７】
移動管理用ノードであって、
第１ゲートウェイ装置と無線基地局との間で移動局用の第１ベアラが設定されており、該第１ゲートウェイ装置と第２ゲートウェイ装置との間で該移動局用の第２ベアラが設定されている状態で、該第１ゲートウェイ装置が、該無線基地局の故障を検出し、該第１ベアラを解放すると共に、前記移動管理用ノードに対して、バッファリング中の該移動局宛ての下りリンクデータ信号を通知するための下りリンクデータ通知を送信した場合に、前記移動局に対して、ページング信号を送信するように構成されており、
所定期間内に前記ページング信号に対する前記移動局からの応答を受信しない場合、前記第２ベアラを解放する手順を開始するように構成されていることを特徴とする移動管理用ノード。
【請求項８】
更に、前記第２ベアラが時間課金によってサービスを提供するベアラであると判定した場合に、前記第２ベアラを解放する手順を開始するように構成されていることを特徴とする請求項７に記載の移動管理用ノード。
【請求項９】
更に、前記第２ベアラに所定ＱＣＩが割り当てられていると判定した場合に、前記第２ベアラを解放する手順を開始するように構成されていることを特徴とする請求項７に記載の移動管理用ノード。
【請求項１０】
更に、前記下りリンクデータ通知に所定情報が含まれていると判定した場合に、前記第２ベアラを解放する手順を開始するように構成されていることを特徴とする請求項８又は９に記載の移動管理用ノード。
【請求項１１】
第１ゲートウェイ装置と無線基地局との間で移動局用の第１ベアラが設定されており、該第１ゲートウェイ装置と第２ゲートウェイ装置との間で該移動局用の第２ベアラが設定されている状態で、該無線基地局の故障を検出すると、該第１ゲートウェイ装置に対して、ベアラ解放要求を送信し、所定タイマーを起動するように構成されており、
前記所定タイマーが満了する前に、前記移動局から接続要求を受信しない場合、前記第２ベアラを解放する手順を開始するように構成されていることを特徴とする移動管理用ノード。
【請求項１２】
第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該第１ゲートウェイ装置が、該無線回線制御局の故障を検出すると、該第１ベアラを解放すると共に、パケット交換機に対して、バッファリング中の該移動局宛ての下りリンクデータ信号を通知するための下りリンクデータ通知を送信する工程Ａと、
前記パケット交換機が、前記移動局に対して、ページング信号を送信する工程Ｂと、
前記パケット交換機が、所定期間内に前記ページング信号に対する前記移動局からの応答を受信しない場合、前記第２ベアラを解放する手順を開始する工程Ｃとを有することを特徴とする移動通信方法。
【請求項１３】
前記工程Ｃにおいて、前記パケット交換機は、更に、前記第２ベアラが時間課金によってサービスを提供するベアラであると判定した場合に、前記第２ベアラを解放する手順を開始することを特徴とする請求項１２に記載の移動通信方法。
【請求項１４】
前記工程Ｃにおいて、前記パケット交換機は、更に、前記第２ベアラに所定ＱＣＩが割り当てられていると判定した場合に、前記第２ベアラを解放する手順を開始することを特徴とする請求項１２に記載の移動通信方法。
【請求項１５】
前記工程Ｃにおいて、前記パケット交換機は、更に、前記下りリンクデータ通知に所定情報が含まれていると判定した場合に、前記第２ベアラを解放する手順を開始することを特徴とする請求項１３又は１４に記載の移動通信方法。
【請求項１６】
前記工程Ａにおいて、前記第１ゲートウェイ装置は、前記無線回線制御局からエラー指示信号を受信した場合に、該無線回線制御局の故障を検出することを特徴とする請求項１２に記載の移動通信方法。
【請求項１７】
第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、パケット交換機が、該無線回線制御局の故障を検出すると、該第１ゲートウェイ装置に対して、ベアラ解放要求を送信し、所定タイマーを起動する工程と、
前記第１ゲートウェイ装置が、前記ベアラ解放要求に応じて、前記第１ベアラを解放する工程と、
前記パケット交換機が、前記所定タイマーが満了する前に、前記移動局から接続要求を受信しない場合、前記第２ベアラを解放する手順を開始する工程とを有することを特徴とする移動通信方法。
【請求項１８】
パケット交換機であって、
第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該第１ゲートウェイ装置が、該無線回線制御局の故障を検出し、該第１ベアラを解放すると共に、前記パケット交換機に対して、バッファリング中の該移動局宛ての下りリンクデータ信号を通知するための下りリンクデータ通知を送信した場合に、前記移動局に対して、ページング信号を送信するように構成されており、
所定期間内に前記ページング信号に対する前記移動局からの応答を受信しない場合、前記第２ベアラを解放する手順を開始するように構成されていることを特徴とするパケット交換機。
【請求項１９】
更に、前記第２ベアラが時間課金によってサービスを提供するベアラであると判定した場合に、前記第２ベアラを解放する手順を開始するように構成されていることを特徴とする請求項１８に記載のパケット交換機。
【請求項２０】
更に、前記第２ベアラに所定ＱＣＩが割り当てられていると判定した場合に、前記第２ベアラを解放する手順を開始するように構成されていることを特徴とする請求項１８に記載のパケット交換機。
【請求項２１】
更に、前記下りリンクデータ通知に所定情報が含まれていると判定した場合に、前記第２ベアラを解放する手順を開始するように構成されていることを特徴とする請求項１９又は２０に記載のパケット交換機。
【請求項２２】
第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該無線回線制御局の故障を検出すると、該第１ゲートウェイ装置に対して、ベアラ解放要求を送信し、所定タイマーを起動するように構成されており、
前記所定タイマーが満了する前に、前記移動局から接続要求を受信しない場合、前記第２ベアラを解放する手順を開始するように構成されていることを特徴とするパケット交換機。
【発明の詳細な説明】
【技術分野】
【０００１】
本発明は、移動通信方法、移動管理用ノード及びパケット交換機に関する。
【背景技術】
【０００２】
図１５及び図１６を参照して、Ｅ-ＵＴＲＡＮ（Ｅｖｏｌｖｅｄ  ＵＴＲＡＮ）方式の移動通信システムにおける無線基地局ｅＮｏｄｅＢの故障発生時のＧＢＲ（Ｇｕａｒａｎｔｅｅｄ  Ｂｉｔ  Ｒａｔｅ）ベアラの制御処理について説明する。
【０００３】
第１に、図１５を参照して、かかるＧＢＲベアラの制御処理の第１例について説明する。
【０００４】
図１５に示すように、ステップＳ１０００において、ＧＢＲベアラ設定処理を行うことによって、移動局ＵＥと無線基地局ｅＮｏｄｅＢとの間、無線基地局ｅＮｏｄｅＢとゲートウェイ装置Ｓ-ＧＷ（Ｓｅｒｖｉｎｇ  Ｇａｔｅｗａｙ）との間、及び、ゲートウェイ装置Ｓ-ＧＷとゲートウェイ装置Ｐ-ＧＷ（ＰＤＮ  Ｇａｔｅｗａｙ）との間で、ＧＢＲベアラを設定する。
【０００５】
ステップＳ１００１において、無線基地局ｅＮｏｄｅＢにおいて故障が発生し、再開処理が実施される。
【０００６】
無線基地局ｅＮｏｄｅＢは、ステップＳ１００２において、ゲートウェイ装置Ｐ-ＧＷ及びゲートウェイ装置Ｓ-ＧＷを経由して転送された移動局ＵＥ宛てのパケットを受信すると、ステップＳ１００３において、ゲートウェイ装置Ｓ-ＧＷに対して、「Ｅｒｒｏｒ  Ｉｎｄｉｃａｔｉｏｎ」を送信する。
【０００７】
ゲートウェイ装置Ｓ-ＧＷは、ステップＳ１００４において、無線基地局ｅＮｏｄｅＢ向けのＧＢＲベアラ用リソースを解放し、ステップＳ１００５において、ゲートウェイ装置Ｐ-ＧＷから受信した移動局ＵＥ宛てのパケットをバッファリングする。
【０００８】
ステップＳ１００６において、ゲートウェイ装置Ｓ-ＧＷは、移動管理用ノードＭＭＥ（Ｍｏｂｉｌｉｔｙ  Ｍａｎａｇｅｍｅｎｔ  Ｅｎｔｉｔｙ）に対して、バッファリング中の移動局ＵＥ宛てのパケットを通知するための「Ｄｏｗｎｌｉｎｋ  Ｄａｔａ  Ｎｏｔｉｆｉｃａｔｉｏｎ」を送信する。
【０００９】
ステップＳ１００７において、移動管理用ノードＭＭＥは、無線基地局ｅＮｏｄｅＢに対して、移動局ＵＥ宛ての「Ｐａｇｉｎｇ」を送信すると共に、ページングタイマーを起動する。
【００１０】
ステップＳ１００８において、移動管理用ノードＭＭＥは、ページングタイマーが満了するまでに、移動局ＵＥからの「Ｐａｇｉｎｇ」に対する応答が無い場合であっても、ゲートウェイ装置Ｓ-ＧＷとゲートウェイ装置Ｐ-ＧＷとの間のＧＢＲベアラを解放せずに保持する。
【００１１】
第２に、図１６を参照して、かかるＧＢＲベアラの制御処理の第２例について説明する。
【００１２】
図１６に示すように、ステップＳ２０００において、ＧＢＲベアラ設定処理を行うことによって、移動局ＵＥと無線基地局ｅＮｏｄｅＢとの間、無線基地局ｅＮｏｄｅＢとゲートウェイ装置Ｓ-ＧＷとの間、及び、ゲートウェイ装置Ｓ-ＧＷとゲートウェイ装置Ｐ-ＧＷとの間で、ＧＢＲベアラを設定する。
【００１３】
ステップＳ２００１において、無線基地局ｅＮｏｄｅＢにおいて故障が発生し、再開処理が実施される。
【００１４】
ステップＳ２００２において、無線基地局ｅＮｏｄｅＢは、移動管理用ノードＭＭＥに対して、ＲＥＳＥＴ信号を送信する。
【００１５】
ステップＳ２００３において、移動管理用ノードＭＭＥは、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ」を送信する。
【００１６】
ゲートウェイ装置Ｓ-ＧＷは、ステップＳ２００４において、無線基地局ｅＮｏｄｅＢ向けのＧＢＲベアラ用リソースを解放し、ステップＳ２００５において、移動管理用ノードＭＭＥに対して、「Ｒｅｌｅａｓｅ  Ａｃｃｅｓｓ  Ｂｅａｒｅｒ  Ｒｅｓｐｏｎｓｅ」を送信する。
【００１７】
ゲートウェイ装置Ｓ-ＧＷは、ステップＳ２００６において、ゲートウェイ装置Ｐ-ＧＷから移動局ＵＥ宛てのパケットを受信すると、ステップＳ２００７において、かかるパケットをバッファリングする。
【００１８】
ステップＳ２００８において、ゲートウェイ装置Ｓ-ＧＷは、移動管理用ノードＭＭＥに対して、バッファリング中の移動局ＵＥ宛てのパケットを通知するための「Ｄｏｗｎｌｉｎｋ  Ｄａｔａ  Ｎｏｔｉｆｉｃａｔｉｏｎ」を送信する。
【００１９】
ステップＳ２００９において、移動管理用ノードＭＭＥは、無線基地局ｅＮｏｄｅＢに対して、移動局ＵＥ宛ての「Ｐａｇｉｎｇ」を送信すると共に、ページングタイマーを起動する。
【００２０】
ステップＳ２０１０において、移動管理用ノードＭＭＥは、ページングタイマーが満了するまでに、移動局ＵＥからの「Ｐａｇｉｎｇ」に対する応答が無い場合であっても、ゲートウェイ装置Ｓ-ＧＷとゲートウェイ装置Ｐ-ＧＷとの間のＧＢＲベアラを解放せずに保持する。
【先行技術文献】
【非特許文献】
【００２１】
【非特許文献１】３ＧＰＰ  ＴＳ２３.４０１
【非特許文献２】３ＧＰＰ  ＴＳ２４.３０１
【非特許文献３】３ＧＰＰ  ＴＳ２３.００７
【非特許文献４】３ＧＰＰ  ＴＳ２３.０６０
【発明の概要】
【発明が解決しようとする課題】
【００２２】
しかしながら、かかる移動通信システムでは、図１５及び図１６に示すように、ＧＢＲベアラが設定されている状態で、無線基地局ｅＮｏｄｅＢにおいて故障が発生した場合であっても、コアネットワーク内のＧＢＲベアラを適切なタイミングで切断することができず、ＧＢＲベアラにおいて時間課金によってサービスを提供している場合には、かかる課金を停止することができない事象が発生するという問題点があった。
【００２３】
また、ＵＴＲＡＮ方式の移動通信システムでも、ＧＢＲベアラが設定されている状態で、無線回線制御局ＲＮＣにおいて故障が発生した場合であっても、コアネットワーク内のＧＢＲベアラを適切なタイミングで切断することができず、ＧＢＲベアラにおいて時間課金によってサービスを提供している場合には、かかる課金を停止することができない事象が発生するという同様の問題点があった。
【００２４】
そこで、本発明は、上述の課題に鑑みてなされたものであり、ＧＢＲベアラが設定されている状態で、無線アクセスネットワーク内の装置において故障が発生した場合に、コアネットワーク内のＧＢＲベアラを適切なタイミングで切断することができる移動通信方法、移動管理用ノード及びパケット交換機を提供することを目的とする。
【課題を解決するための手段】
【００２５】
本発明の第１の特徴は、移動通信方法であって、第１ゲートウェイ装置と無線基地局との間で移動局用の第１ベアラが設定されており、該第１ゲートウェイ装置と第２ゲートウェイ装置との間で該移動局用の第２ベアラが設定されている状態で、該第１ゲートウェイ装置が、該無線基地局の故障を検出すると、該第１ベアラを解放すると共に、移動管理用ノードに対して、バッファリング中の該移動局宛ての下りリンクデータ信号を通知するための下りリンクデータ通知を送信する工程Ａと、前記移動管理用ノードが、前記移動局に対して、ページング信号を送信する工程Ｂと、前記移動管理用ノードが、所定期間内に前記ページング信号に対する前記移動局からの応答を受信しない場合、前記第２ベアラを解放する手順を開始する工程Ｃとを有することを要旨とする。
【００２６】
本発明の第２の特徴は、移動通信方法であって、第１ゲートウェイ装置と無線基地局との間で移動局用の第１ベアラが設定されており、該第１ゲートウェイ装置と第２ゲートウェイ装置との間で該移動局用の第２ベアラが設定されている状態で、移動管理用ノードが、該無線基地局の故障を検出すると、該第１ゲートウェイ装置に対して、ベアラ解放要求を送信し、所定タイマーを起動する工程と、前記第１ゲートウェイ装置が、前記ベアラ解放要求に応じて、前記第１ベアラを解放する工程と、前記移動管理用ノードが、前記所定タイマーが満了する前に、前記移動局から接続要求を受信しない場合、前記第２ベアラを解放する手順を開始する工程とを有することを要旨とする。
【００２７】
本発明の第３の特徴は、移動管理用ノードであって、第１ゲートウェイ装置と無線基地局との間で移動局用の第１ベアラが設定されており、該第１ゲートウェイ装置と第２ゲートウェイ装置との間で該移動局用の第２ベアラが設定されている状態で、該第１ゲートウェイ装置が、該無線基地局の故障を検出し、該第１ベアラを解放すると共に、前記移動管理用ノードに対して、バッファリング中の該移動局宛ての下りリンクデータ信号を通知するための下りリンクデータ通知を送信した場合に、前記移動局に対して、ページング信号を送信するように構成されており、所定期間内に前記ページング信号に対する前記移動局からの応答を受信しない場合、前記第２ベアラを解放する手順を開始するように構成されていることを要旨とする。
【００２８】
本発明の第４の特徴は、移動管理用ノードであって、第１ゲートウェイ装置と無線基地局との間で移動局用の第１ベアラが設定されており、該第１ゲートウェイ装置と第２ゲートウェイ装置との間で該移動局用の第２ベアラが設定されている状態で、該無線基地局の故障を検出すると、該第１ゲートウェイ装置に対して、ベアラ解放要求を送信し、所定タイマーを起動するように構成されており、前記所定タイマーが満了する前に、前記移動局から接続要求を受信しない場合、前記第２ベアラを解放する手順を開始するように構成されていることを要旨とする。
【００２９】
本発明の第５の特徴は、移動通信方法であって、第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該第１ゲートウェイ装置が、該無線回線制御局の故障を検出すると、該第１ベアラを解放すると共に、パケット交換機に対して、バッファリング中の該移動局宛ての下りリンクデータ信号を通知するための下りリンクデータ通知を送信する工程Ａと、前記パケット交換機が、前記移動局に対して、ページング信号を送信する工程Ｂと、前記パケット交換機が、所定期間内に前記ページング信号に対する前記移動局からの応答を受信しない場合、前記第２ベアラを解放する手順を開始する工程Ｃとを有することを要旨とする。
【００３０】
本発明の第６の特徴は、移動通信方法であって、第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、パケット交換機が、該無線回線制御局の故障を検出すると、該第１ゲートウェイ装置に対して、ベアラ解放要求を送信し、所定タイマーを起動する工程と、前記第１ゲートウェイ装置が、前記ベアラ解放要求に応じて、前記第１ベアラを解放する工程と、前記パケット交換機が、前記所定タイマーが満了する前に、前記移動局から接続要求を受信しない場合、前記第２ベアラを解放する手順を開始する工程とを有することを要旨とする。
【００３１】
本発明の第７の特徴は、パケット交換機であって、第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該第１ゲートウェイ装置が、該無線回線制御局の故障を検出し、該第１ベアラを解放すると共に、前記パケット交換機に対して、バッファリング中の該移動局宛ての下りリンクデータ信号を通知するための下りリンクデータ通知を送信した場合に、前記移動局に対して、ページング信号を送信するように構成されており、所定期間内に前記ページング信号に対する前記移動局からの応答を受信しない場合、前記第２ベアラを解放する手順を開始するように構成されていることを要旨とする。
【００３２】
本発明の第７の特徴は、パケット交換機であって、第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該無線回線制御局の故障を検出すると、該第１ゲートウェイ装置に対して、ベアラ解放要求を送信し、所定タイマーを起動するように構成されており、前記所定タイマーが満了する前に、前記移動局から接続要求を受信しない場合、前記第２ベアラを解放する手順を開始するように構成されていることを要旨とする。
【発明の効果】
【００３３】
以上説明したように、本発明によれば、ＧＢＲベアラが設定されている状態で、無線アクセスネットワーク内の装置において故障が発生した場合に、コアネットワーク内のＧＢＲベアラを適切なタイミングで切断することができる移動通信方法、移動管理用ノード及びパケット交換機を提供することができる。
【図面の簡単な説明】
【００３４】
【図１】本発明の第１の実施形態に係る移動通信システムの動作を説明するための図である。
【図２】本発明の第１の実施形態に係る移動通信システムの動作を説明するシーケンス図である。
【図３】本発明の第１の実施形態に係る移動通信システムの動作を説明するフローチャートである。
【図４】本発明の第１の実施形態に係る移動通信システムの動作を説明するシーケンス図である。
【図５】本発明の第１の実施形態の変更例１に係る移動通信システムの動作を説明するシーケンス図である。
【図６】本発明の第１の実施形態の変更例１に係る移動通信システムの動作を説明するフローチャートである。
【図７】本発明の第１の実施形態の変更例２に係る移動通信システムの動作を説明するための図である。
【図８】本発明の第１の実施形態の変更例２に係る移動通信システムの動作を説明するシーケンス図である。
【図９】本発明の第２の実施形態に係る移動通信システムの動作を説明するための図である。
【図１０】本発明の第２の実施形態に係る移動通信システムの動作を説明するシーケンス図である。
【図１１】本発明の第２の実施形態の変更例１に係る移動通信システムの動作を説明するシーケンス図である。
【図１２】本発明の第２の実施形態の変更例２に係る移動通信システムの動作を説明するための図である。
【図１３】本発明の第２の実施形態の変更例２に係る移動通信システムの動作を説明するシーケンス図である。
【図１４】本発明の第２の実施形態の変更例３に係る移動通信システムの動作を説明するための図である。
【図１５】従来の移動通信システムの動作を説明するシーケンス図である。
【図１６】従来の移動通信システムの動作を説明するシーケンス図である。
【発明を実施するための形態】
【００３５】
（本発明の第１の実施形態に係る移動通信システム）
図１乃至図４を参照して、本発明の第１の実施形態に係る移動通信システムについて説明する。
【００３６】
本実施形態に係る移動通信システムは、Ｅ-ＵＴＲＡＮ方式の移動通信システムであって、図１及び図２に示すように、サーバ装置ＰＣＲＦ（Ｐｏｌｉｃｙ  ａｎｄ  Ｃｈａｒｇｅ  Ｒｕｌｅ  Ｆｕｎｃｔｉｏｎ）と、ゲートウェイ装置Ｐ-ＧＷと、ゲートウェイ装置Ｓ-ＧＷと、移動管理用ノードＭＭＥと、無線基地局ｅＮｏｄｅＢとを具備している。
【００３７】
ここで、図１乃至図４を参照して、本発明の第１の実施形態に係る移動通信システムの動作について説明する。
【００３８】
図１及び図２に示すように、図２のステップＳ１００Ａにおいて、ＧＢＲベアラ設定処理を行うことによって、移動局ＵＥと無線基地局ｅＮｏｄｅＢとの間、無線基地局ｅＮｏｄｅＢとゲートウェイ装置Ｓ-ＧＷとの間、及び、ゲートウェイ装置Ｓ-ＧＷとゲートウェイ装置Ｐ-ＧＷとの間で、ＧＢＲベアラを設定する。ここで、無線基地局ｅＮｏｄｅＢとゲートウェイ装置Ｓ-ＧＷとの間のＧＢＲベアラを「第１ＧＢＲベアラ（第１ベアラ）」と呼び、ゲートウェイ装置Ｓ-ＧＷとゲートウェイ装置Ｐ-ＧＷとの間のＧＢＲベアラを「第２ＧＢＲベアラ（第２ベアラ）」と呼ぶものとする。
【００３９】
図２のステップＳ１００Ｂにおいて、無線基地局ｅＮｏｄｅＢにおいて故障が発生し、再開処理が実施される。その後、図２のステップＳ１００Ｃにおいて、図１５に示す処理Ａ又は図１６に示す処理Ｂが行われる。
【００４０】
ステップＳ１０１において、ゲートウェイ装置Ｓ-ＧＷは、移動管理用ノードＭＭＥに対して、バッファリング中の移動局ＵＥ宛てのパケット（下りデータ信号）を通知するための「Ｄｏｗｎｌｉｎｋ  Ｄａｔａ  Ｎｏｔｉｆｉｃａｔｉｏｎ」を送信する。
【００４１】
ステップＳ１０２において、移動管理用ノードＭＭＥは、無線基地局ｅＮｏｄｅＢに対して、移動局ＵＥ宛ての「Ｐａｇｉｎｇ（ページング信号）」を送信すると共に、ページングタイマーを起動する。
【００４２】
移動管理用ノードＭＭＥは、ステップＳ１０３において、ページングタイマーが満了するまでに、移動局ＵＥからの「Ｐａｇｉｎｇ」に対する応答が無い場合、ステップＳ１０４において、図３に示すＧＢＲベアラ判定処理を行う。
【００４３】
図３に示すように、ステップＳ１０４Ａにおいて、移動管理用ノードＭＭＥは、移動局ＵＥ用の第２ＧＢＲベアラが存在するか否かについて判定する。「ＹＥＳ」の場合、本動作は、ステップＳ１０４Ｂに進み、「ＮＯ」の場合、本動作は、ステップＳ１０４Ｄに進む。
【００４４】
ステップＳ１０４Ｂにおいて、移動管理用ノードＭＭＥは、移動局ＵＥ用の第２ＧＢＲベアラが、時間課金によってサービスを提供しているベアラであるか否かについて判定する。「ＹＥＳ」の場合、本動作は、ステップＳ１０４Ｃに進み、「ＮＯ」の場合、本動作は、ステップＳ１０４Ｄに進む。
【００４５】
移動管理用ノードＭＭＥは、ステップＳ１０４Ｃにおいて、かかる移動局ＵＥ用の第２ＧＢＲベアラを解放するステップＳ１０５以降の手順を開始する。一方、移動管理用ノードＭＭＥは、ステップＳ１０４Ｄにおいて、かかる移動局ＵＥ用の第２ＧＢＲベアラを解放することなく維持し、処理を完了する。このとき、移動管理用ノードＭＭＥは、ゲートウェイ装置Ｓ-ＧＷに対して、無線基地局ｅＮｏｄｅＢ向けのリソース解放を要求する信号を送出してもよい。
【００４６】
なお、ステップＳ１０４Ｂにおいて、移動管理用ノードＭＭＥは、上述の判定の代わりに、第２ＧＢＲベアラに所定ＱＣＩ（ＱｏＳ  Ｃｌａｓｓ  Ｉｄｅｎｔｉｆｉｅｒ）、例えば、「ＱＣＩ＝１（Ｓｐｅｅｃｈ）」が割り当てられているか否かについて判定してもよいし、所定オペレータポリシーに基づく所定条件が満たされているか否かについて判定してもよい。ここで、ＱＣＩは、第２ＧＢＲベアラのＱｏＳのレベルを示す情報である。
【００４７】
ステップＳ１０５において、移動管理用ノードＭＭＥは、ステップＳ１０４Ｃにおいて、かかる移動局ＵＥ用の第２ＧＢＲベアラを解放すると決定した場合に、ゲートウェイ装置Ｓ-ＧＷに対して、「Ｄｅｌｅｔｅ  Ｂｅａｒｅｒ  Ｃｏｍｍａｎｄ」を送信する。
【００４８】
ステップＳ１０６において、図４に示すＧＢＲベアラ解放手順を開始することによって、移動局ＵＥ用の第２ＧＢＲベアラを解放する。
【００４９】
図４に示すように、ステップＳ１０６Ａにおいて、ゲートウェイ装置Ｓ-ＧＷは、「Ｄｅｌｅｔｅ  Ｂｅａｒｅｒ  Ｃｏｍｍａｎｄ」を受信すると、ゲートウェイ装置Ｐ-ＧＷに対して、かかる「Ｄｅｌｅｔｅ  Ｂｅａｒｅｒ  Ｃｏｍｍａｎｄ」を送信する。
【００５０】
ステップＳ１０６Ｂにおいて、ゲートウェイ装置Ｐ-ＧＷとサーバ装置ＰＣＲＦとの間で、「ＰＣＥＦ  Ｉｎｉｔｉａｔｅｄ  ＩＰ-ＣＡＮ  Ｓｅｓｓｉｏｎ  Ｍｏｄｉｆｉｃａｔｉｏｎ」手順を行い、アプリケーションレベルで課金処理が行われている場合、かかる課金処理を停止する。
【００５１】
ゲートウェイ装置Ｐ-ＧＷは、ステップＳ１０６Ｄにおいて、ゲートウェイ装置Ｓ-ＧＷに対して、「Ｄｅｌｅｔｅ  Ｂｅａｒｅｒ  Ｒｅｑｕｅｓｔ」を送信し、ステップＳ１０６Ｅにおいて、移動局ＵＥ用のＧＢＲベアラに対する課金処理を停止する。
【００５２】
ステップＳ１０６Ｆにおいて、ゲートウェイ装置Ｓ-ＧＷは、移動管理用ノードＭＭＥに対して、「Ｄｅｌｅｔｅ  Ｂｅａｒｅｒ  Ｒｅｑｕｅｓｔ」を送信する。
【００５３】
ステップＳ１０６Ｇにおいて、３ＧＰＰで規定されているＴＳ２３.４０１の図５.４.４.１-１のステップ４乃至７に示される手順を実行する。
【００５４】
ステップＳ１０６Ｈにおいて、移動管理用ノードＭＭＥは、ゲートウェイ装置Ｓ-ＧＷに対して、「Ｄｅｌｅｔｅ  Ｂｅａｒｅｒ  Ｒｅｓｐｏｎｓｅ」を送信し、ステップＳ１０６Ｉにおいて、ゲートウェイ装置Ｓ-ＧＷは、ゲートウェイ装置Ｐ-ＧＷに対して、「Ｄｅｌｅｔｅ  Ｂｅａｒｅｒ  Ｒｅｓｐｏｎｓｅ」を送信する。
【００５５】
本発明の第１の実施形態に係る移動通信システムによれば、ＧＢＲベアラが設定されている状態で、無線基地局ｅＮｏｄｅＢにおいて故障が発生した場合に、第２ＧＢＲベアラを適切なタイミングで切断し、第２ＧＢＲベアラに関する課金処理を停止することができる。
【００５６】
（変更例１）
図５及び図６を参照して、上述の第１の実施形態の変更例１に係る移動通信システムについて説明する。以下、本変更例１に係る移動通信システムについて、上述の第１の実施形態に係る移動通信システムとの相違点に着目して説明する。
【００５７】
図５に示すように、ステップＳ１５０Ａ乃至Ｓ１５０Ｃの動作は、図２に示すステップＳ１００Ａ乃至Ｓ１００Ｃの動作と同一である。
【００５８】
ステップ１５１において、ゲートウェイ装置Ｓ-ＧＷは、移動管理用ノードＭＭＥに対して、「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ（所定情報）」を含む「Ｄｏｗｎｌｉｎｋ  Ｄａｔａ  Ｎｏｔｉｆｉｃａｔｉｏｎ」を送信する。
【００５９】
ステップＳ１５２において、移動管理用ノードＭＭＥは、無線基地局ｅＮｏｄｅＢに対して、移動局ＵＥ宛ての「Ｐａｇｉｎｇ（ページング信号）」を送信すると共に、ページングタイマーを起動する。
【００６０】
移動管理用ノードＭＭＥは、ステップＳ１５３において、ページングタイマーが満了するまでに、移動局ＵＥからの「Ｐａｇｉｎｇ」に対する応答が無い場合、ステップＳ１５４において、図６に示すＧＢＲベアラ判定処理を行う。
【００６１】
図６に示すように、ステップＳ１５４Ａにおいて、移動管理用ノードＭＭＥは、移動局ＵＥ用の第２ＧＢＲベアラが存在するか否かについて判定する。「ＹＥＳ」の場合、本動作は、ステップＳ１５４Ｂに進み、「ＮＯ」の場合、本動作は、ステップＳ１５４Ｅに進む。
【００６２】
ステップＳ１５４Ｂにおいて、移動管理用ノードＭＭＥは、移動局ＵＥ用の第２ＧＢＲベアラが、時間課金によってサービスを提供しているベアラであるか否かについて判定する。「ＹＥＳ」の場合、本動作は、ステップＳ１５４Ｃに進み、「ＮＯ」の場合、本動作は、ステップＳ１５４Ｅに進む。
【００６３】
ステップＳ１５４Ｃにおいて、移動管理用ノードＭＭＥは、受信した「Ｄｏｗｎｌｉｎｋ  Ｄａｔａ  Ｎｏｔｉｆｉｃａｔｉｏｎ」に「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ」が含まれており、かつ、かかる情報要素の内容が切断すべき事由に該当するか否かについて判定する。「ＹＥＳ」の場合、本動作は、ステップＳ１５４Ｄに進み、「ＮＯ」の場合、本動作は、ステップＳ１５４Ｅに進む。
【００６４】
移動管理用ノードＭＭＥは、ステップＳ１５４Ｄにおいて、かかる移動局ＵＥ用の第２ＧＢＲベアラを解放する。一方、移動管理用ノードＭＭＥは、ステップＳ１５４Ｅにおいて、かかる移動局ＵＥ用の第２ＧＢＲベアラを解放することなく維持し、処理を完了する。このとき、移動管理用ノードＭＭＥは、ゲートウェイ装置Ｓ-ＧＷに対して、無線基地局ｅＮｏｄｅＢ向けのリソース解放を要求する信号を送出してもよい。
【００６５】
なお、ステップＳ１５４Ｂにおいて、移動管理用ノードＭＭＥは、上述の判定の代わりに、第２ＧＢＲベアラに所定ＱＣＩ、例えば、「ＱＣＩ＝１（Ｓｐｅｅｃｈ）」が割り当てられているか否かについて判定してもよいし、所定オペレータポリシーに基づく所定条件が満たされているか否かについて判定してもよい。
【００６６】
また、移動管理用ノードＭＭＥは、ステップＳ１５４Ｂにおける判定を行わないように構成されていてもよい。
【００６７】
さらに、「Ｄｏｗｎｌｉｎｋ  Ｄａｔａ  Ｎｏｔｉｆｉｃａｔｉｏｎ」に「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ」が含まれており、かつ、かかる情報要素の内容が切断すべき事由に該当する場合、ページングタイマーを通常の値と異なる値に設定するように構成されていてもよい。
【００６８】
この結果、ＧＢＲベアラを解放するまでの時間を短縮することができる等の効果を奏する。
【００６９】
以降、ステップＳ１５５及びＳ１５６の動作は、図２に示すステップＳ１０５及びＳ１０６の動作と同一である。
【００７０】
（変更例２）
図７及び図８を参照して、上述の第１の実施形態の変更例２に係る移動通信システムについて説明する。以下、本変更例２に係る移動通信システムについて、上述の第１の実施形態に係る移動通信システムとの相違点に着目して説明する。
【００７１】
図８に示すように、ステップＳ２００Ａ及びＳ２００Ｂの動作は、図２に示すステップＳ１００Ａ及びＳ１００Ｂの動作と同一である。
【００７２】
ステップＳ２０１において、無線基地局ｅＮｏｄｅＢは、移動管理用ノードＭＭＥに対して、ＲＥＳＥＴ信号を送信する。
【００７３】
移動管理用ノードＭＭＥは、ＲＥＳＥＴ信号を受信した場合に、ステップＳ２０１Ａにおいて、図３又は図６に示すＧＢＲベアラ判定処理を行ってもよい。
【００７４】
移動管理用ノードＭＭＥは、ステップＳ２０２において、ＧＢＲベアラ解放待ちタイマーを起動し、ステップＳ２０３において、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ」を送信する。
【００７５】
ゲートウェイ装置Ｓ-ＧＷは、ステップＳ２０４において、無線基地局ｅＮｏｄｅＢ向けのＧＢＲベアラ用リソースを解放し、ステップＳ２０５において、移動管理用ノードＭＭＥに対して、「Ｒｅｌｅａｓｅ  Ａｃｃｅｓｓ  Ｂｅａｒｅｒ  Ｒｅｓｐｏｎｓｅ」を送信する。
【００７６】
移動管理用ノードＭＭＥは、ステップＳ２０６において、ＧＢＲベアラ解放待ちタイマーが満了するまでに、移動局ＵＥからの接続要求がない場合には、ステップＳ２０７において、ゲートウェイ装置Ｓ-ＧＷに対して、「Ｄｅｌｅｔｅ  Ｂｅａｒｅｒ  Ｃｏｍｍａｎｄ」を送信する。
【００７７】
ステップＳ２０８において、図４に示すＧＢＲベアラ解放手順を開始することによって、移動局ＵＥ用の第２ＧＢＲベアラを解放する。
【００７８】
本変更例２に係る移動通信システムによれば、移動局ＵＥ宛てのパケットが存在していない場合であっても、第２ＧＢＲベアラを適切なタイミングで切断し、第２ＧＢＲベアラに関する課金処理を停止することができる。
【００７９】
以上に述べた本実施形態の特徴は、以下のように表現されていてもよい。
【００８０】
本実施形態の第１の特徴は、移動通信方法であって、ゲートウェイ装置Ｓ-ＧＷ（第１ゲートウェイ装置）と無線基地局ｅＮｏｄｅＢとの間で移動局ＵＥ用の第１ＧＢＲベアラ（第１ベアラ）が設定されており、ゲートウェイ装置Ｓ-ＧＷとゲートウェイ装置Ｐ-ＧＷ（第２ゲートウェイ装置）との間で移動局ＵＥ用の第２ＧＢＲベアラ（第２ベアラ）が設定されている状態で、ゲートウェイ装置Ｓ-ＧＷが、無線基地局ｅＮｏｄｅＢの故障を検出すると、第１ＧＢＲベアラを解放すると共に、移動管理用ノードＭＭＥに対して、バッファリング中の移動局ＵＥ宛ての下りリンクデータ信号を通知するための「Ｄｏｗｎｌｉｎｋ  Ｄａｔａ  Ｎｏｔｉｆｉｃａｔｉｏｎ（下りリンクデータ通知）」を送信する工程Ａと、移動管理用ノードＭＭＥが、移動局ＵＥに対して、「Ｐａｇｉｎｇ（ページング信号）」を送信する工程Ｂと、移動管理用ノードＭＭＥが、ページングタイマーによって規定されている期間（所定期間）内に、「Ｐａｇｉｎｇ」に対する移動局ＵＥからの応答を受信しない場合、第２ＧＢＲベアラを解放する手順を開始する工程Ｃとを有することを要旨とする。
【００８１】
本実施形態の第１の特徴において、工程Ｃにおいて、移動管理用ノードＭＭＥは、更に、第２ＧＢＲベアラが時間課金によってサービスを提供するベアラであると判定した場合に、第２ＧＢＲベアラを解放する手順を開始してもよい。
【００８２】
本実施形態の第１の特徴において、工程Ｃにおいて、移動管理用ノードＭＭＥは、更に、第２ＧＢＲベアラに所定ＱＣＩ（例えば、ＱＣＩ＝１）が割り当てられていると判定した場合に、第２ＧＢＲベアラを解放する手順を開始してもよい。
【００８３】
本実施形態の第１の特徴において、工程Ｃにおいて、移動管理用ノードＭＭＥは、更に、「Ｄｏｗｎｌｉｎｋ  Ｄａｔａ  Ｎｏｔｉｆｉｃａｔｉｏｎ」に「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ（所定情報）」が含まれており、かつ、かかる情報要素の内容が切断すべき事由に該当すると判定した場合に、第２ＧＢＲベアラを解放する手順を開始してもよい。
【００８４】
本実施形態の第１の特徴において、工程Ａにおいて、ゲートウェイ装置Ｓ-ＧＷは、無線基地局ｅＮｏｄｅＢから「Ｅｒｒｏｒ  Ｉｎｄｉｃａｔｉｏｎ（エラー指示信号）」を受信した場合に、無線基地局ｅＮｏｄｅＢの故障を検出してもよい。
【００８５】
本実施形態の第２の特徴は、移動通信方法であって、ゲートウェイ装置Ｓ-ＧＷと無線基地局ｅＮｏｄｅＢとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、移動管理用ノードＭＭＥが、無線基地局ｅＮｏｄｅＢの故障を検出すると、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ（ベアラ解放要求）」を送信し、ＧＢＲベアラ解放待ちタイマー（所定タイマー）を起動する工程と、ゲートウェイ装置Ｓ-ＧＷが、「Ｒｅｌｅａｓｅ  Ａｃｃｅｓｓ  Ｂｅａｒｅｒ  Ｒｅｑｕｅｓｔ」に応じて、第１ＧＢＲベアラを解放する工程と、移動管理用ノードＭＭＥが、ＧＢＲベアラ解放待ちタイマーが満了する前に、移動局ＵＥから接続要求を受信しない場合、第２ＧＢＲベアラを解放する手順を開始する工程とを有することを要旨とする。
【００８６】
本実施形態の第３の特徴は、移動管理用ノードＭＭＥであって、ゲートウェイ装置Ｓ-ＧＷと無線基地局ｅＮｏｄｅＢとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、ゲートウェイ装置Ｓ-ＧＷが、無線基地局ｅＮｏｄｅＢの故障を検出し、第１ＧＢＲベアラを解放すると共に、移動管理用ノードＭＭＥに対して、「Ｄｏｗｎｌｉｎｋ  Ｄａｔａ  Ｎｏｔｉｆｉｃａｔｉｏｎ」を送信した場合に、移動局ＵＥに対して、「Ｐａｇｉｎｇ」を送信するように構成されており、ページングタイマーによって規定されている期間内に「Ｐａｇｉｎｇ」に対する移動局ＵＥからの応答を受信しない場合、第２ＧＢＲベアラを解放する手順を開始するように構成されていることを要旨とする。
【００８７】
本実施形態の第３の特徴において、更に、第２ＧＢＲベアラが時間課金によってサービスを提供するベアラであると判定した場合に、第２ＧＢＲベアラを解放する手順を開始するように構成されていてもよい。
【００８８】
本実施形態の第３の特徴において、更に、第２ＧＢＲベアラに所定ＱＣＩが割り当てられていると判定した場合に、第２ＧＢＲベアラを解放する手順を開始するように構成されていてもよい。
【００８９】
本実施形態の第３の特徴において、更に、「Ｄｏｗｎｌｉｎｋ  Ｄａｔａ  Ｎｏｔｉｆｉｃａｔｉｏｎ」に「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ」が含まれており、かつ、かかる情報要素の内容が切断すべき事由に該当すると判定した場合に、第２ＧＢＲベアラを解放する手順を開始するように構成されていてもよい。
【００９０】
本実施形態の第４の特徴は、移動管理用ノードＭＭＥであって、ゲートウェイ装置Ｓ-ＧＷと無線基地局ｅＮｏｄｅＢとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、無線基地局ｅＮｏｄｅＢの故障を検出すると、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ」を送信し、ＧＢＲベアラ解放待ちタイマーを起動するように構成されており、ＧＢＲベアラ解放待ちタイマーが満了する前に、移動局ＵＥから接続要求を受信しない場合、第２ＧＢＲベアラを解放する手順を開始するように構成されていることを要旨とする。
【００９１】
（第２の実施形態に係る移動通信システム）
図９及び図１０を参照して、上述の第２の実施形態に係る移動通信システムについて説明する。以下、本発明の第２の実施形態に係る移動通信システムについて、上述の第１の実施形態に係る移動通信システムとの相違点に着目して説明する。
【００９２】
本実施形態に係る移動通信システムは、ＵＴＲＡＮ方式の移動通信システムであって、図９及び図１０に示すように、サーバ装置ＰＣＲＦと、ゲートウェイ装置Ｐ-ＧＷと、ゲートウェイ装置Ｓ-ＧＷと、パケット交換機ＳＧＳＮと、無線回線制御局ＲＮＣとを具備している。
【００９３】
ここで、図９及び図１０を参照して、本発明の第２の実施形態に係る移動通信システムの動作について説明する。
【００９４】
図９及び図１０に示すように、ステップＳ３００Ａにおいて、ＧＢＲベアラ設定処理を行うことによって、移動局ＵＥと無線回線制御局ＲＮＣとの間、無線回線制御局ＲＮＣとゲートウェイ装置Ｓ-ＧＷとの間、及び、ゲートウェイ装置Ｓ-ＧＷとゲートウェイ装置Ｐ-ＧＷとの間で、ＧＢＲベアラを設定する。ここで、無線回線制御局ＲＮＣとゲートウェイ装置Ｓ-ＧＷとの間のＧＢＲベアラを「第１ＧＢＲベアラ（第１ベアラ）」と呼び、ゲートウェイ装置Ｓ-ＧＷとゲートウェイ装置Ｐ-ＧＷとの間のＧＢＲベアラを「第２ＧＢＲベアラ（第２ベアラ）」と呼ぶものとする。
【００９５】
なお、無線回線制御局ＲＮＣとゲートウェイ装置Ｓ-ＧＷとの間のＧＢＲベアラは「Ｄｉｒｅｃｔ  Ｔｕｎｎｅｌ」と呼ぶ。また、「Ｄｉｒｅｃｔ  Ｔｕｎｎｅｌ」の代わりに、無線回線制御局ＲＮＣとパケット交換機ＳＧＳＮとの間、及び、パケット交換機ＳＧＳＮとゲートウェイ装置Ｓ-ＧＷとの間で、ＧＢＲベアラが設定されていてもよい。この場合、当該ＧＢＲベアラは「Ｎｏｎ-Ｄｉｒｅｃｔ  Ｔｕｎｎｅｌ」と呼ぶ。
【００９６】
ステップＳ３００Ｂにおいて、無線回線制御局ＲＮＣにおいて故障が発生し、再開処理が実施される。その後、ステップＳ３００Ｃにおいて、図１５に示す処理Ａ又は図１６に示す処理Ｂが行われる。
【００９７】
なお、第２の実施形態において、図１５及び図１６における無線基地局ｅＮｏｄｅＢは、無線回線制御局ＲＮＣと看做し、移動管理用ノードＭＭＥは、ゲートウェイ装置Ｓ-ＧＷと看做す。
【００９８】
ステップＳ３０１において、ゲートウェイ装置Ｓ-ＧＷは、パケット交換機ＳＧＳＮに対して、「Ｄｏｗｎｌｉｎｋ  Ｄａｔａ  Ｎｏｔｉｆｉｃａｔｉｏｎ」を送信する。
【００９９】
ステップＳ３０２において、パケット交換機ＳＧＳＮは、無線回線制御局ＲＮＣに対して、移動局ＵＥ宛ての「Ｐａｇｉｎｇ（ページング信号）」を送信すると共に、ページングタイマーを起動する。
【０１００】
パケット交換機ＳＧＳＮは、ステップＳ３０３において、ページングタイマーが満了するまでに、移動局ＵＥからの「Ｐａｇｉｎｇ」に対する応答が無い場合、ステップＳ３０４において、図３に示すＧＢＲベアラ判定処理を行う。
【０１０１】
ステップＳ３０５において、パケット交換機ＳＧＳＮは、かかる移動局ＵＥ用の第２ＧＢＲベアラを解放すると決定した場合に、ゲートウェイ装置Ｓ-ＧＷに対して、「Ｄｅｌｅｔｅ  Ｂｅａｒｅｒ  Ｃｏｍｍａｎｄ」を送信する。
【０１０２】
ステップＳ３０６において、図４に示すＧＢＲベアラ解放手順を開始することによって、移動局ＵＥ用の第２ＧＢＲベアラを解放する。
【０１０３】
本発明の第２の実施形態に係る移動通信システムによれば、ＧＢＲベアラが設定されている状態で、無線回線制御局ＲＮＣにおいて故障が発生した場合に、第２ＧＢＲベアラを適切なタイミングで切断し、第２ＧＢＲベアラに関する課金処理を停止することができる。
【０１０４】
（変更例１）
図１１を参照して、上述の第２の実施形態の変更例１に係る移動通信システムについて説明する。以下、本変更例１に係る移動通信システムについて、上述の第２の実施形態に係る移動通信システムとの相違点に着目して説明する。
【０１０５】
図１１に示すように、ステップＳ３５０Ａ乃至Ｓ３５０Ｃの動作は、図１０に示すステップＳ３００Ａ乃至Ｓ３００Ｃの動作と同一である。
【０１０６】
ステップ３５１において、ゲートウェイ装置Ｓ-ＧＷは、パケット交換機ＳＧＳＮに対して、「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ（所定情報）」を含む「Ｄｏｗｎｌｉｎｋ  Ｄａｔａ  Ｎｏｔｉｆｉｃａｔｉｏｎ」を送信する。
【０１０７】
ステップＳ３５２において、パケット交換機ＳＧＳＮは、無線回線制御局ＲＮＣに対して、移動局ＵＥ宛ての「Ｐａｇｉｎｇ（ページング信号）」を送信すると共に、ページングタイマーを起動する。
【０１０８】
パケット交換機ＳＧＳＮは、ステップＳ３５３において、ページングタイマーが満了するまでに、移動局ＵＥからの「Ｐａｇｉｎｇ」に対する応答が無い場合、ステップＳ３５４において、図６に示すＧＢＲベアラ判定処理を行う。
【０１０９】
以降、ステップＳ３５５及びＳ３５６の動作は、図１０に示すステップＳ３０５及びＳ３０６の動作と同一である。
【０１１０】
（変更例２）
図１２及び図１３を参照して、上述の第２の実施形態の変更例２に係る移動通信システムについて説明する。以下、本変更例２に係る移動通信システムについて、上述の第２の実施形態に係る移動通信システムとの相違点に着目して説明する。
【０１１１】
本変更例２に係る移動通信システムでは、「Ｄｉｒｅｃｔ  Ｔｕｎｎｅｌ」が適用されている、すなわち、ゲートウェイ装置Ｐ-ＧＷからゲートウェイ装置Ｓ-ＧＷに転送されたパケットは、パケット交換機ＳＧＳＮを経由することなく無線回線制御局ＲＮＣに転送されるように構成されている。
【０１１２】
図１３に示すように、ステップＳ４００Ａ及びＳ４００Ｂの動作は、図１０に示すステップＳ３００Ａ及びＳ３００Ｂの動作と同一である。
【０１１３】
ステップＳ４０１において、無線回線制御局ＲＮＣは、パケット交換機ＳＧＳＮに対して、ＲＥＳＥＴ信号を送信する。
【０１１４】
パケット交換機ＳＧＳＮは、ＲＥＳＥＴ信号を受信した場合に、ステップＳ４０１Ａにおいて、図３又は図６に示すＧＢＲベアラ判定処理を行ってもよい。
【０１１５】
パケット交換機ＳＧＳＮは、ステップＳ４０２において、ＧＢＲベアラ解放待ちタイマーを起動し、ステップＳ４０３において、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ」を送信する。
【０１１６】
ゲートウェイ装置Ｓ-ＧＷは、ステップＳ４０４において、無線回線制御局ＲＮＣ向けのＧＢＲベアラ用リソースを解放し、ステップＳ４０５において、パケット交換機ＳＧＳＮに対して、「Ｒｅｌｅａｓｅ  Ａｃｃｅｓｓ  Ｂｅａｒｅｒ  Ｒｅｓｐｏｎｓｅ」を送信する。
【０１１７】
パケット交換機ＳＧＳＮは、ステップＳ４０６において、ＧＢＲベアラ解放待ちタイマーが満了するまでに、移動局ＵＥからの接続要求がない場合には、ステップＳ４０７において、ゲートウェイ装置Ｓ-ＧＷに対して、「Ｄｅｌｅｔｅ  Ｂｅａｒｅｒ  Ｃｏｍｍａｎｄ」を送信する。
【０１１８】
ステップＳ４０８において、図４に示すＧＢＲベアラ解放手順を開始することによって、移動局ＵＥ用の第２ＧＢＲベアラを解放する。
【０１１９】
なお、ステップＳ４０１において、パケット交換機ＳＧＳＮは、無線回線制御局ＲＮＣからＲＥＳＥＴ信号を受信する以外の方法で、無線回線制御局ＲＮＣにおける故障を検出するように構成されていてもよい。
【０１２０】
例えば、パケット交換機ＳＧＳＮは、ＲＡＮＡＰ信号処理等を用いて、無線回線制御局ＲＮＣにおける故障を検出するように構成されていてもよい。
【０１２１】
（変更例３）
図１４を参照して、上述の第２の実施形態の変更例３に係る移動通信システムについて説明する。以下、本変更例３に係る移動通信システムについて、上述の第２の実施形態に係る移動通信システムとの相違点に着目して説明する。
【０１２２】
本変更例３に係る移動通信システムでは、「Ｎｏｎ-Ｄｉｒｅｃｔ  Ｔｕｎｎｅｌ」が適用されている、すなわち、ゲートウェイ装置Ｐ-ＧＷからゲートウェイ装置Ｓ-ＧＷに転送されたパケットは、パケット交換機ＳＧＳＮを経由して無線回線制御局ＲＮＣに転送されるように構成されている。
【０１２３】
図１３に示すステップＳ４００Ａ及びＳ４００Ｂの動作が行われた後、ステップＳ５０１において、無線回線制御局ＲＮＣは、パケット交換機ＳＧＳＮに対して、ＲＥＳＥＴ信号を送信する。
【０１２４】
パケット交換機ＳＧＳＮは、ＲＥＳＥＴ信号を受信した場合に、図３又は図６に示すＧＢＲベアラ判定処理を行ってもよい。
【０１２５】
パケット交換機ＳＧＳＮは、ステップＳ５０２において、ＧＢＲベアラ解放待ちタイマーを起動し、ステップＳ５０３において、無線回線制御局ＲＮＣ向けのＧＢＲベアラ用リソースを解放する。
【０１２６】
パケット交換機ＳＧＳＮは、ステップＳ５０４において、ＧＢＲベアラ解放待ちタイマーが満了するまでに、移動局ＵＥからの接続要求がない場合には、図４に示すＧＢＲベアラ解放手順を開始することによって、移動局ＵＥ用の第２ＧＢＲベアラを解放する。
【０１２７】
以上に述べた本実施形態の特徴は、以下のように表現されていてもよい。
【０１２８】
本実施形態の第１の特徴は、移動通信方法であって、ゲートウェイ装置Ｓ-ＧＷと無線回線制御局ＲＮＣとの間、或いは、無線回線制御局ＲＮＣとパケット交換機ＳＧＳＮとの間、及び、パケット交換機ＳＧＳＮとゲートウェイ装置Ｓ-ＧＷとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、ゲートウェイ装置Ｓ-ＧＷ或いはパケット交換機ＳＧＳＮが、無線回線制御局ＲＮＣの故障を検出すると、第１ＧＢＲベアラを解放すると共に、パケット交換機ＳＧＳＮに対して、「Ｄｏｗｎｌｉｎｋ  Ｄａｔａ  Ｎｏｔｉｆｉｃａｔｉｏｎ」を送信する工程Ａと、パケット交換機ＳＧＳＮが、移動局ＵＥに対して、「Ｐａｇｉｎｇ」を送信する工程Ｂと、パケット交換機ＳＧＳＮが、ページングタイマーによって規定されている期間内に、「Ｐａｇｉｎｇ」に対する移動局ＵＥからの応答を受信しない場合、第２ＧＢＲベアラを解放する手順を開始する工程Ｃとを有することを要旨とする。
【０１２９】
本実施形態の第１の特徴において、工程Ｃにおいて、パケット交換機ＳＧＳＮは、更に、第２ＧＢＲベアラが時間課金によってサービスを提供するベアラであると判定した場合に、第２ＧＢＲベアラを解放する手順を開始してもよい。
【０１３０】
本実施形態の第１の特徴において、工程Ｃにおいて、パケット交換機ＳＧＳＮは、更に、第２ＧＢＲベアラに所定ＱＣＩ（例えば、ＱＣＩ＝１）が割り当てられていると判定した場合に、第２ＧＢＲベアラを解放する手順を開始してもよい。
【０１３１】
本実施形態の第１の特徴において、工程Ｃにおいて、パケット交換機ＳＧＳＮは、更に、「Ｄｏｗｎｌｉｎｋ  Ｄａｔａ  Ｎｏｔｉｆｉｃａｔｉｏｎ」に「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ」が含まれており、かつ、かかる情報要素の内容が切断すべき事由に該当すると判定した場合に、第２ＧＢＲベアラを解放する手順を開始してもよい。
【０１３２】
本実施形態の第１の特徴において、工程Ａにおいて、ゲートウェイ装置Ｓ-ＧＷは、無線回線制御局ＲＮＣから「Ｅｒｒｏｒ  Ｉｎｄｉｃａｔｉｏｎ」を受信した場合に、無線回線制御局ＲＮＣの故障を検出してもよい。
【０１３３】
本実施形態の第２の特徴は、移動通信方法であって、ゲートウェイ装置Ｓ-ＧＷと無線回線制御局ＲＮＣとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、パケット交換機ＳＧＳＮが、無線基地局ｅＮｏｄｅＢの故障を検出すると、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ」を送信し、ＧＢＲベアラ解放待ちタイマーを起動する工程と、ゲートウェイ装置Ｓ-ＧＷが、「Ｒｅｌｅａｓｅ  Ａｃｃｅｓｓ  Ｂｅａｒｅｒ  Ｒｅｑｕｅｓｔ」に応じて、第１ＧＢＲベアラを解放する工程と、パケット交換機ＳＧＳＮが、ＧＢＲベアラ解放待ちタイマーが満了する前に、移動局ＵＥから接続要求を受信しない場合、第２ＧＢＲベアラを解放する手順を開始する工程とを有することを要旨とする。
【０１３４】
本実施形態の第３の特徴は、パケット交換機ＳＧＳＮであって、ゲートウェイ装置Ｓ-ＧＷと無線回線制御局ＲＮＣとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、ゲートウェイ装置Ｓ-ＧＷが、無線回線制御局ＲＮＣの故障を検出し、第１ＧＢＲベアラを解放すると共に、パケット交換機ＳＧＳＮに対して、「Ｄｏｗｎｌｉｎｋ  Ｄａｔａ  Ｎｏｔｉｆｉｃａｔｉｏｎ」を送信した場合に、移動局ＵＥに対して、「Ｐａｇｉｎｇ」を送信するように構成されており、ページングタイマーによって規定されている期間内に「Ｐａｇｉｎｇ」に対する移動局ＵＥからの応答を受信しない場合、第２ＧＢＲベアラを解放する手順を開始するように構成されていることを要旨とする。
【０１３５】
本実施形態の第３の特徴において、更に、第２ＧＢＲベアラが時間課金によってサービスを提供するベアラであると判定した場合に、第２ＧＢＲベアラを解放する手順を開始するように構成されていてもよい。
【０１３６】
本実施形態の第３の特徴において、更に、第２ＧＢＲベアラに所定ＱＣＩが割り当てられていると判定した場合に、第２ＧＢＲベアラを解放する手順を開始するように構成されていてもよい。
【０１３７】
本実施形態の第３の特徴において、更に、「Ｄｏｗｎｌｉｎｋ  Ｄａｔａ  Ｎｏｔｉｆｉｃａｔｉｏｎ」に「Ｃａｕｓｅ：Ｅｒｒｏｒ  Ｉｎｄｉｃａｔｉｏｎ  ｒｅｃｅｉｖｅｄ  ｆｒｏｍ  ＲＮＣ/ｅＮｏｄｅＢ」が含まれており、かつ、かかる情報要素の内容が切断すべき事由に該当すると判定した場合に、第２ＧＢＲベアラを解放する手順を開始するように構成されていてもよい。
【０１３８】
本実施形態の第４の特徴は、パケット交換機ＳＧＳＮであって、ゲートウェイ装置Ｓ-ＧＷと無線回線制御局ＲＮＣとの間で移動局ＵＥ用の第１ＧＢＲベアラが設定されており、ゲートウェイ装置Ｓ-ＧＷとゲートウェイ装置Ｐ-ＧＷとの間で移動局ＵＥ用の第２ＧＢＲベアラが設定されている状態で、無線回線制御局ＲＮＣの故障を検出すると、ゲートウェイ装置Ｓ-ＧＷに対して、「Ｒｅｌｅａｓｅ  Ａｃｃｅｓｓ  Ｂｅａｒｅｒ  Ｒｅｑｕｅｓｔ」を送信し、ＧＢＲベアラ解放待ちタイマーを起動するように構成されており、ＧＢＲベアラ解放待ちタイマーが満了する前に、移動局ＵＥから接続要求を受信しない場合、第２ＧＢＲベアラを解放する手順を開始するように構成されていることを要旨とする。
【０１３９】
なお、上述の移動局ＵＥや無線基地局ｅＮｏｄｅＢや移動管理用ノードＭＭＥやゲートウェイ装置Ｓ-ＧＷやゲートウェイ装置Ｐ-ＧＷやパケット交換機ＳＧＳＮや無線回線制御局ＲＮＣ等の動作は、ハードウェアによって実施されてもよいし、プロセッサによって実行されるソフトウェアモジュールによって実施されてもよいし、両者の組み合わせによって実施されてもよい。
【０１４０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮｏｄｅＢや移動管理用ノードＭＭＥやゲートウェイ装置Ｓ-ＧＷやゲートウェイ装置Ｐ-ＧＷやパケット交換装置ＳＧＳＮや無線回線制御局ＲＮＣ内に設けられていてもよい。また、かかる記憶媒体及びプロセッサは、ディスクリートコンポーネントとして移動局ＵＥや無線基地局ｅＮｏｄｅＢや移動管理用ノードＭＭＥやゲートウェイ装置Ｓ-ＧＷやゲートウェイ装置Ｐ-ＧＷやパケット交換装置ＳＧＳＮや無線回線制御局ＲＮＣ内に設けられていてもよい。
【０１４２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１４３】
Ｐ-ＧＷ、Ｓ-ＧＷ…ゲートウェイ装置
ＵＥ…移動局
ｅＮｏｄｅＢ…無線基地局
ＭＭＥ…移動管理用ノード
ＳＧＳＮ…パケット交換機
ＲＮＣ…無線回線制御局
【図１】
2011087200.tif 000003
【図２】
2011087200.tif 000004
【図３】
2011087200.tif 000005
【図４】
2011087200.tif 000006
【図５】
2011087200.tif 000007
【図６】
2011087200.tif 000008
【図７】
2011087200.tif 000009
【図８】
2011087200.tif 000010
【図９】
2011087200.tif 000011
【図１０】
2011087200.tif 000012
【図１１】
2011087200.tif 000013
【図１２】
2011087200.tif 000014
【図１３】
2011087200.tif 000015
【図１４】
2011087200.tif 000016
【図１５】
2011087200.tif 000017
【図１６】
2011087200.tif 000018
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
第１ゲートウェイ装置と無線基地局との間で移動局用の第１ベアラが設定されており、該第１ゲートウェイ装置と第２ゲートウェイ装置との間で該移動局用の第２ベアラが設定されている状態で、該第１ゲートウェイ装置が、該無線基地局からエラー指示信号を受信すると、該第１ベアラを解放すると共に、移動管理用ノードに対して、バッファリング中の該移動局宛ての下りリンクデータ信号を通知するための下りリンクデータ通知を送信する工程Ａと、
前記移動管理用ノードが、前記移動局に対して、ページング信号を送信する工程Ｂと、
前記移動管理用ノードが、所定期間内に前記ページング信号に対する前記移動局からの応答を受信しない場合、前記第２ベアラを解放する手順を開始する工程Ｃとを有することを特徴とする移動通信方法。
【請求項２】
前記工程Ｃにおいて、前記移動管理用ノードは、更に、前記第２ベアラが時間課金によってサービスを提供するベアラであると判定した場合に、前記第２ベアラを解放する手順を開始することを特徴とする請求項１に記載の移動通信方法。
【請求項３】
前記工程Ｃにおいて、前記移動管理用ノードは、更に、前記第２ベアラに所定ＱＣＩが割り当てられていると判定した場合に、前記第２ベアラを解放する手順を開始することを特徴とする請求項１に記載の移動通信方法。
【請求項４】
前記工程Ｃにおいて、前記移動管理用ノードは、更に、前記第２ベアラがＧＢＲベアラである場合に、前記第２ベアラを解放する手順を開始することを特徴とする請求項１に記載の移動通信方法。
【請求項５】
前記工程Ｃにおいて、前記移動管理用ノードは、更に、前記下りリンクデータ通知に所定情報が含まれていると判定した場合に、前記第２ベアラを解放する手順を開始することを特徴とする請求項２乃至４のいずれか一項に記載の移動通信方法。
【請求項６】
移動管理用ノードであって、
第１ゲートウェイ装置と無線基地局との間で移動局用の第１ベアラが設定されており、該第１ゲートウェイ装置と第２ゲートウェイ装置との間で該移動局用の第２ベアラが設定されている状態で、該第１ゲートウェイ装置が、該無線基地局からエラー指示信号を受信し、該第１ベアラを解放すると共に、前記移動管理用ノードに対して、バッファリング中の該移動局宛ての下りリンクデータ信号を通知するための下りリンクデータ通知を送信した場合に、前記移動局に対して、ページング信号を送信するように構成されており、
所定期間内に前記ページング信号に対する前記移動局からの応答を受信しない場合、前記第２ベアラを解放する手順を開始するように構成されていることを特徴とする移動管理用ノード。
【請求項７】
更に、前記第２ベアラが時間課金によってサービスを提供するベアラであると判定した場合に、前記第２ベアラを解放する手順を開始するように構成されていることを特徴とする請求項６に記載の移動管理用ノード。
【請求項８】
更に、前記第２ベアラに所定ＱＣＩが割り当てられていると判定した場合に、前記第２ベアラを解放する手順を開始するように構成されていることを特徴とする請求項６に記載の移動管理用ノード。
【請求項９】
更に、前記第２ベアラがＧＢＲベアラである場合に、前記第２ベアラを解放する手順を開始するように構成されていることを特徴とする請求項６に記載の移動管理用ノード。
【請求項１０】
更に、前記下りリンクデータ通知に所定情報が含まれていると判定した場合に、前記第２ベアラを解放する手順を開始するように構成されていることを特徴とする請求項７乃至９のいずれか一項に記載の移動管理用ノード。
【請求項１１】
第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該第１ゲートウェイ装置が、該無線回線制御局からエラー指示信号を受信すると、該第１ベアラを解放すると共に、パケット交換機に対して、バッファリング中の該移動局宛ての下りリンクデータ信号を通知するための下りリンクデータ通知を送信する工程Ａと、
前記パケット交換機が、前記移動局に対して、ページング信号を送信する工程Ｂと、
前記パケット交換機が、所定期間内に前記ページング信号に対する前記移動局からの応答を受信しない場合、前記第２ベアラを解放する手順を開始する工程Ｃとを有することを特徴とする移動通信方法。
【請求項１２】
前記工程Ｃにおいて、前記パケット交換機は、更に、前記第２ベアラが時間課金によってサービスを提供するベアラであると判定した場合に、前記第２ベアラを解放する手順を開始することを特徴とする請求項１１に記載の移動通信方法。
【請求項１３】
前記工程Ｃにおいて、前記パケット交換機は、更に、前記第２ベアラに所定ＱＣＩが割り当てられていると判定した場合に、前記第２ベアラを解放する手順を開始することを特徴とする請求項１１に記載の移動通信方法。
【請求項１４】
前記工程Ｃにおいて、前記パケット交換機は、更に、前記第２ベアラがＧＢＲベアラである場合に、前記第２ベアラを解放する手順を開始することを特徴とする請求項１１に記載の移動通信方法。
【請求項１５】
前記工程Ｃにおいて、前記パケット交換機は、更に、前記下りリンクデータ通知に所定情報が含まれていると判定した場合に、前記第２ベアラを解放する手順を開始することを特徴とする請求項１２乃至１４のいずれか一項に記載の移動通信方法。
【請求項１６】
パケット交換機であって、
第１ゲートウェイ装置と無線回線制御局との間で移動局用の第１ベアラが設定されており、該第１ゲートウェイ装置と第２ゲートウェイ装置との間で該移動局用の第２ベアラが設定されている状態で、該第１ゲートウェイ装置が、該無線回線制御局からエラー指示信号を受信し、該第１ベアラを解放すると共に、前記パケット交換機に対して、バッファリング中の該移動局宛ての下りリンクデータ信号を通知するための下りリンクデータ通知を送信した場合に、前記移動局に対して、ページング信号を送信するように構成されており、
所定期間内に前記ページング信号に対する前記移動局からの応答を受信しない場合、前記第２ベアラを解放する手順を開始するように構成されていることを特徴とするパケット交換機。
【請求項１７】
更に、前記第２ベアラが時間課金によってサービスを提供するベアラであると判定した場合に、前記第２ベアラを解放する手順を開始するように構成されていることを特徴とする請求項１６に記載のパケット交換機。
【請求項１８】
更に、前記第２ベアラに所定ＱＣＩが割り当てられていると判定した場合に、前記第２ベアラを解放する手順を開始するように構成されていることを特徴とする請求項１６に記載のパケット交換機。
【請求項１９】
更に、前記第２ベアラがＧＢＲベアラである場合に、前記第２ベアラを解放する手順を開始するように構成されていることを特徴とする請求項１６に記載のパケット交換機。
【請求項２０】
更に、前記下りリンクデータ通知に所定情報が含まれていると判定した場合に、前記第２ベアラを解放する手順を開始するように構成されていることを特徴とする請求項１７乃至１９のいずれか一項に記載のパケット交換機。